(57)【要約】【課題】設備を設置場所に据え付ける期間を短くでき、設置スペースが少なくて済み、低コストで、かつ、信頼性の高い調相設備一体形ガス遮断器を提供することを目的とする。【解決手段】電力用コンデンサ３と直列リアクトルが電気的に接続されて一体となり調相設備２が構成される。この調相設備２に個別の円筒状の容器９が接続され架台１３に載置される。容器９内にはそれぞれ遮断部８が収納される。遮断部８の一方が調相設備２と接続される。遮断部８の他方にはそれぞれガスブッシング１１が取り付けられて送電線１６と接続される。そして遮断部８を駆動するための操作器１０を架台１３内に配置する。【選択図】　　　　図１
2004080926.tif 000002
【特許請求の範囲】
【請求項１】
調相設備と、
前記調相設備に結合された容器に収納され、一方が前記調相設備に接続され、他方がガスブッシングに接続される遮断部と、
前記調相設備と前記容器を載置する架台と、
前記遮断部を駆動する操作器が前記架台内に収納されていることを特徴とする調相設備一体形ガス遮断器。
【請求項２】
調相設備と、
前記調相設備に結合された容器に収納され、一方が前記調相設備に接続され
、
他方がケーブルヘッドに接続される遮断部と、
前記調相設備と前記容器を載置する架台と、
前記遮断部を駆動する操作器が前記架台内に収納されていることを特徴とする調相設備一体形ガス遮断器。
【発明の詳細な説明】
【０００１】
【発明の属する技術分野】
本発明は、調相設備とガス遮断器とを一体とした調相設備一体形ガス遮断器に関するものである。
【０００２】
【従来の技術】
周知のとおり、調相設備は重負荷時に進相電力を供給する進相用コンデンサや軽負荷時に遅相電力を供給する分路リアクトルなどがあり、電圧調整を行うとともに、電力損失の軽減を図るものである。
【０００３】
これら調相設備の故障時等の開閉に使用される開閉器には、
１）　投入時の突入電流が大きくかつ周波数が高い。
２）　極間回復電圧が高い。
３）　開閉頻度が高い。
などの使用条件に適したものとしてガス遮断器が広く用いられている。
【０００４】
図３（Ａ）は、従来の設備の調相設備２とガス遮断器７との関係を示す平面図、
図３（Ｂ）は、同側面図である。
【０００５】
図３に示すように、電力用コンデンサ３と直列リアクトル４が電気的に接続されて一体となり調相設備２が構成され、架台６に載置されている。そしてこの調相設備２の電力用コンデンサ３の上部に３相分のブッシング５が取り付けられている。
【０００６】
単相の遮断部８がそれぞれ円筒状の容器９に収納されてガス遮断器７が構成され、そして３相分のガス遮断器７が等間隔に架台１２の上に並設されている。そして、これら３相分のガス遮断器７を駆動するための操作器１０が架台１２に取り付けられている。ガス遮断器７にはガスブッシング１１が２本ずつ取り付けられており、遮断部８の一方及び他方がそれぞれガスブッシング１１に電気的に接続されて、ガス遮断器ユニット１９が構成されている。
【０００７】
遮断部８の一方に接続されたガスブッシング１１は、調相設備２の電力用コンデンサ３の上部に取り付けられたブッシング５と、架線１４によって接続されている。また、遮断部８の他方に接続されたガスブッシング１１は送電線１６に接続されている。
【０００８】
【発明が解決しようとする課題】
上記従来の設備においては、対地間及び相間の気中絶縁距離を十分にとる必要があるので設備全体の設置スペースが大きくなるという問題があり、また調相設備２に取付けられるブッシング５が３本、ガス遮断器７に取付けられるガスブッシング１１が６本となり、１台の設備あたり合計９本のブッシングが必要となるのでコストが高くなるといった問題があった。
【０００９】
また、このような従来の設備の場合、設置場所へ輸送するときに調相設備とガス遮断器ユニットとを個別に輸送しなければならず、輸送費用が高くなるという問題があった。
【００１０】
また、安全を確保するために調相設備とガス遮断器ユニットの据え付け工事がそれぞれ個別に行なわれ、その後に試験調整が行われる。このため、据え付けの工事期間及び試験調整期間が長くなる。また、調相設備とガス遮断器ユニットのそれぞれの据え付け工事及び試験調整が完了してから両者を架線により接続していたため、総合的な工事期間が長くなる等の問題があった。
【００１１】
本発明は、調相設備とガス遮断器とを一体で構成することにより、装置全体の設置スペースを少なくでき、一括輸送が可能となり輸送費用が少なくでき、かつ、
据え付けの工事期間及び試験調整期間を短くできる調相設備一体形ガス遮断器を提供することを目的とするものである。
【００１２】
【課題を解決するための手段】
上記目的を達成するために請求項１に係る発明は、調相設備と、前記調相設備に結合された容器に収納され、一方が前記調相設備に接続され、他方がガスブッシングに接続される遮断部と、前記調相設備と前記容器を載置する架台と、前記遮断部を駆動する操作器が前記架台内に収納されていることを特徴とする。
【００１３】
また、請求項２に係る発明は、調相設備と、前記調相設備に結合された容器に収納され、一方が前記調相設備に接続され、他方がケーブルヘッドに接続される遮断部と、前記調相設備と前記容器を載置する架台と、前記遮断部を駆動する操作器が前記架台内に収納されていることを特徴とする。
【００１４】
【発明の実施の形態】
本発明の第１の実施形態について説明する。
図１（Ａ）は、同実施の形態に係る調相設備一体形ガス遮断器１の平面図、図１（Ｂ）は、同側面図である。
【００１５】
図１に示すように、遮断部８をそれぞれ個別の円筒状の容器９内に収納してガス遮断器７を構成する。そして、電力用コンデンサ３と直列リアクトル４とを一体で構成した調相設備２にガス遮断器７を等間隔に結合して架台１３に載置する。
そして、遮断部８を駆動するための操作器１０を架台１３内に配置する。調相設備一体形ガス遮断器１を屋外に設置する場合、架台１３の周囲を扉等で覆い、雨水や粉塵の進入を防ぐことができるようにする。屋内に設置する場合は、架台１３の周囲の扉等はあってもなくてもどちらでもよい。
【００１６】
電力用コンデンサ３と直列リアクトル４とを一体で構成した調相設備２に、ガス遮断器７の容器９内に収納した遮断部８の一方を接続するとともに、ガス遮断器７にガスブッシング１１を結合し、遮断部８の他方をガスブッシング１１を介して送電線１６に接続する。
【００１７】
本実施の形態に係る調相設備一体形ガス遮断器によれば、調相設備２とガス遮断器７を一体となるように構成したので、設置スペースを少なくすることができるとともに、これらを別々に輸送する必要がなくなるのでトレーラ等によって一括で輸送することができる。
【００１８】
また、調相設備２とガス遮断器７を一体となるように構成したので、別々に据え付ける必要がなくなり据え付け期間を短縮することができる。しかも、調相設備２とガス遮断器７間を接続する架線１４、及び調相設備２のブッシング５を無くすことができ、ガス遮断器７のガスブッシング１１を３本に減らすことができるので、コストの低減を図ることができる。しかも、従来ブッシングを取り付けていたフランジ等の接続個所が減ることになるのでガス漏れなどの事故の低減を図ることができ、装置全体の信頼性が向上する。
【００１９】
なお、前記ガス遮断器７の周囲を化粧板１５で覆うことにより、調相設備一体形ガス遮断器１を１つの箱状として構成できるので装置全体としての美観の向上を図ることができる。
【００２０】
また、ガス遮断器７の遮断部８を収納する容器９を、３相の遮断部８を一括して収納できる角形状のものにしてもよい。この場合、化粧板１５を省略することもできる。しかし、調相設備２との調和を図るためにガス遮断器７を化粧板１５で覆ってもよい。
【００２１】
次に第２の実施形態について説明する。
図２（Ａ）は、本発明の第２の実施の形態に係る調相設備一体形ガス遮断器１の平面図、図２（Ｂ）は、同側面図である。なお、図１（Ａ）及び図１（Ｂ）と同一部分には同一符号を付し、その説明を省略し、ここでは異なる部分についてのみ説明する。
【００２２】
すなわち、本実施の形態に係る調相設備一体形ガス遮断器は、ガス遮断器７にケーブルヘッド１７を結合し、遮断部８の他方にケーブルヘッド１７を介して電力ケーブル１８を接続したことにある。
【００２３】
本実施の形態に係る調相設備一体形ガス遮断器によれば、調相設備２の電力用コンデンサ３に、ガス遮断器７の容器９内に収納した遮断部８の一方を接続するとともに、ガス遮断器７にケーブルヘッド１７を結合し、遮断部８の他方をケーブルヘッド１７を介して電力ケーブル１８を接続する。このように構成することにより、他の機器との接続の自由度が向上し、レイアウトの自由度が向上する。
【００２４】
本発明の実施の形態として、調相設備は電力用コンデンサと直列リアクトルとからなる進相用コンデンサについて説明したが、調相設備として分路リアクトルを適用してもよいのは言うまでもない。
【００２５】
【発明の効果】
以上説明したように本発明によれば、据え付け期間が短く、設置スペースが少なく、低コストで、かつ、信頼性の高い調相設備一体形ガス遮断器を提供することができる。
【図面の簡単な説明】
【図１】本発明の第１の実施例の調相設備一体形ガス遮断器の平面図及び側面図である。
【図２】本発明の第２の実施例の調相設備一体形ガス遮断器の平面図及び側面図である。
【図３】従来の設備の平面図及び側面図である。
【符号の説明】
１…調相設備一体形ガス遮断器
２…調相設備
３…電力用コンデンサ
４…直列リアクトル
５…ブッシング
６…架台
７…ガス遮断器
８…遮断部
９…容器
１０…操作器
１１…ガスブッシング
１２…架台
１３…架台
１４…架線
１５…化粧板
１６…送電線
１７…ケーブルヘッド
１８…電力ケーブル
１９…ガス遮断器ユニット
【図１】
2004080926.tif 000003
【図２】
2004080926.tif 000004
【図３】
2004080926.tif 000005